(57)【要約】【課題】  配管間隔が狭い場合でも納まりよく安定的に配管を床面に固定することのできる配管固定具を提供する。【解決手段】  本発明の配管固定具１は、配管の外周面に沿って配管を保持する帯状の管保持部１１と、この管保持部１１の下端両側から水平方向にそれぞれ延設されるとともに固定用のネジ孔１４，１４が穿設された固定板部１３ａ，１３ｂとを備える。端部に設けられた一方の固定板部１３ｂは、他方の固定板部１３ａの厚さと略同一高さ寸法の切欠部１３１が下面側に設けられて、隣接配置された他の配管固定具の固定板部と重畳可能な相欠き状に形成されている。また、この固定板部１３ｂには、切欠部１３１と略同一寸法の調整片１３３が、薄肉の連結部１３２を介して切離し可能に連設されている。【選択図】  図１
2006300281.tif 000002
【特許請求の範囲】
【請求項１】
床面に配設される配管の外周面に沿って配管を保持する帯状の管保持部と、この管保持部の両側に、管軸に直交する方向にそれぞれ延設されて固定用のネジ孔が穿設された固定板部とを備えた配管固定具であって、
端部に設けられた一方の固定板部は床面に接するように延設されるとともに、他方の固定板部は、前記一方の固定板部の厚さと略同一高さ寸法の切欠部が下面側に設けられており、この切欠部が、隣接配置された他の配管固定具の一方の固定板部と重畳可能な相欠き状に形成されていることを特徴とする配管固定具。
【請求項２】
端部に設けられた他方の固定板部には、切欠部と略同一寸法の調整片が、薄肉の連結部を介して切離し可能に連設されていることを特徴とする請求項１に記載の配管固定具。
【請求項３】
管保持部は蛇腹状のさや管を保持し、この管保持部の内周面にはさや管の溝部に係止しうる突起が設けられていることを特徴とする請求項１または２に記載の配管固定具。
【請求項４】
２個以上の管保持部が所定間隔で連続して形成されて、２本以上の配管を固定しうることを特徴とする請求項１〜３のいずれかに記載の配管固定具。
【発明の詳細な説明】
【技術分野】
【０００１】
本発明は、配管を床面に固定するための配管固定具に関する。
【背景技術】
【０００２】
近年、戸建ておよび集合住宅の給水および給湯用の配管は、屋外から一本の管で屋内に引き込み、屋内にて、キッチン、洗面、洗濯、風呂、トイレ等の各水栓器具に向けてヘッダーと呼ばれる器具により一箇所で分岐されて、分岐した枝管がそれぞれの器具に接続される構成のへッダー配管方式が普及してきている。
【０００３】
ヘッダー配管方式として、例えば特許文献１には、排水管の両翼に給水用のヘッダー架台および給湯用のヘッダー架台を配置し、これらそれぞれに、給水用ヘッダーまたは給湯用ヘッダーが保持され、これらのヘッダーにより分岐した給水管（枝管）の束、および給湯器により昇温した湯の給湯管（枝管）の束を、給排水配管用架台を用いて建物の床下に配管するための、合成樹脂よりなる配管固定用架台が提案されている。この種のヘッダー配管方式に使用されるヘッダーは、枝管側に複数の接続口が所定間隔で設けられており、各接続口に枝管が接続されるようになされている。
【０００４】
さらに、これらの枝管を樹脂製のコルゲート管内に挿通させ、このコルゲート管をさや管とすることで内部の枝管の更新性を確保した、さや管ヘッダー工法も普及しつつある。図６，７に示すように、ヘッダー９に接続されている複数本のさや管９１は、管外周面に沿うように固定具９２が配置され、要所を堅固に固定することで床面にそれぞれ支持されている。固定具９２は管外周面に沿う管当接部９２１に、床面に接地する固定部９２２が延設されて形成されている。
【特許文献１】特開２００４−８４４３１号公報
【発明の開示】
【発明が解決しようとする課題】
【０００５】
上記のような従来の固定具は樹脂製であることが多く、その強度確保の観点から、管外周面に沿う管当接部９２１や、床面に接地する固定部９２２などが約３〜５ｍｍ程度の厚さを有して形成されており、薄板金属製の固定具に比べると厚く形成されていた。
【０００６】
また、上記固定具の固定部にはネジ孔１４が設けられ、ネジ固定時の作業性を考慮して、ネジ孔の周辺に６〜１０ｍｍ程度の作業空間を確保しうるように固定部を形成しなければならず、固定強度に関わることもあって、ネジ孔１４よりも外側にも６〜８ｍｍ程度の幅が設けられるようになされていた。このため、固定具９２は、管軸に対して直交する方向におよそ５０ｍｍ以上の幅を有するものが一般的になっていた。
【０００７】
ところが、さや管ヘッダー工法においては、ヘッダーの接続口が例えば約５０ｍｍ間隔で設けられており、これに複数本の枝管やさや管９１をそれぞれ接続するので、管同士の間隔が２８〜３２ｍｍ程度と非常に狭くなる。このような狭いスペースに上記のような厚さおよび大きさからなる固定具９２を配置させ、ヘッダー９の接続口に接続された配管９１を固定しなければならないので、図６に示すように隣接する固定具９２を管軸方向に交互にずらして固定したり、図７に示すように各配管の固定箇所における管同士の間隔を広げたりすることにより、固定具９２相互の干渉を避けるようにしなければならなかった。
【０００８】
これらの図に示すように固定すると、近接する２箇所において固定具９２のネジ固定作業を行わなければならなかったり、管同士の間隔を広げるのに対応して配管スペースを広く確保したりしなければならず、作業性に劣り、納まりが悪いという問題点があった。
【０００９】
そこで本発明は、上記のような問題点にかんがみてなされたものであり、配管間隔が狭い場合でも納まりよく安定的に配管を床面に固定することのできる配管固定具を提供するものである。
【課題を解決するための手段】
【００１０】
上記した目的を達成するため、本発明は、床面に配設される配管の外周面に沿って配管を保持する帯状の管保持部と、この管保持部の両側に、管軸に直交する方向にそれぞれ延設されて固定用のネジ孔が穿設された固定板部とを備えた配管固定具であって、端部に設けられた一方の固定板部は床面に接するように延設されるとともに、他方の固定板部は、前記一方の固定板部の厚さと略同一高さ寸法の切欠部が下面側に設けられており、この切欠部が、隣接配置された他の配管固定具の一方の固定板部と重畳可能な相欠き状に形成されていることを特徴とする。
【００１１】
この構成によれば、配管固定具の固定板部を、この配管固定具に並べて隣接配置された他の配管固定具の固定板部と重畳させてネジ孔を連続させ、両者を床面に一括して固定することが可能になるので、配管を固定するためのスペースが狭い場合でも配管間隔を広げることなく、納まりよく配管を固定することができる。
【００１２】
また、本発明は前記構成の配管固定具において、端部に設けられた他方の固定板部には、切欠部と略同一寸法の調整片が、薄肉の連結部を介して切離し可能に連設されていることを特徴とする。
【００１３】
これによると、配管固定具を隣接配置する際に、調整片を連結部において切り離し、切欠部に他の配管固定具の一方の固定板部を挿入して重畳することができるとともに、隣接配置しない場合には、この調整片を切欠部に納めることで切欠部を充填し、固定板部を安定的に床面に固定することができる。
【００１４】
また、管保持部は蛇腹状のさや管を保持し、この管保持部の内周面にはさや管の溝部に係止しうる突起が設けられることにより、突起がさや管の溝部に係止して外力が加わってもさや管の管軸方向のずれやがたつきを防止することができる。
【００１５】
さらに、本発明においては、２個以上の管保持部が所定間隔で連続して形成されて、２本以上の配管を固定しうるように構成されるのが好ましい。これにより、配管を固定する際の作業工数を低減でき、効率よく配管作業を進めることが可能になる。
【発明の効果】
【００１６】
上述のように構成される本発明の配管固定具によれば、例えばヘッダーに接続する配管の間隔を広げることなく、ヘッダーの接続口間隔と同一かつ平行に配管を固定することが可能であり、外観および意匠性に優れ、納まりよく安定的に配管を固定することができる。また、これにより、配管固定具を床面へ固定するためのネジ固定箇所の数を減らすことができ、作業性を高めることができる。
【発明を実施するための最良の形態】
【００１７】
以下、本発明に係る配管固定具を実施するための最良の形態について、図面を参照しつつ説明する。
【実施例１】
【００１８】
図１〜図３は本発明に係る配管固定具の実施例１をそれぞれ示す正面図である。
【００１９】
配管固定具１は、配管の外周面に沿って配管を保持する帯状の管保持部１１と、この管保持部１１の下端両側から水平方向に管軸に直交する方向にそれぞれ延設された固定板部１３ａ，１３ｂとを備えている。
【００２０】
管保持部１１は、床面３に配設される配管２の外周面の少なくとも上半部程度に当接しうるように内周面の上部が直円筒状であり、下部は床面３に対して垂直な角度をなす、略Ｕ字状の横断面形状に形成されている。
【００２１】
例示の形態では、この配管固定具１はさや管ヘッダー工法において使用され、管保持部１１が蛇腹状に形成されたさや管２を保持しうるように、管保持部１１の内周面に、さや管２の蛇腹状の溝部に係止する一条の突起１２が周方向に設けられている。この突起１２により、管保持部１１にさや管２を納めたとき、さや管２の溝部に突起１２が係止して固定され、さや管２に外力が加わっても、軸方向にずれたり、がたついたりするのを防止することができるようになっている。
【００２２】
この管保持部１１の両端には、それぞれ固定板部１３ａ，１３ｂが管保持部１１と同幅の帯状に形成されて延設されている。一方の固定板部１３ａは下面が床面３に接するように延設されている。また、他方の固定板部１３ｂには、一方の固定板部１３ａの厚さ寸法と略同一寸法の高さで切欠部１３１が設けられている。この切欠部１３１により、配管固定具１が床面３に設置されたとき、他方の固定板部１３ｂと床面３との間には、一方の固定板部１３ａの厚さ（高さ）および幅寸法に相当する大きさの空間が形成されている。そして、同様の形状に形成された配管固定具１が２個以上、床面３に隣接配置されたとき、この固定板部１３ｂの下部空間に、他の配管固定具１の固定板部１３ａを挿入しうるように構成されている。すなわち、配管固定具１の他方の固定板部１３ｂは、隣接配置された他の配管固定具１の固定板部１３ａと重畳可能な相欠き状に形成されている。
【００２３】
このような切欠部１３１が設けられた固定板部１３ｂは、切欠部１３１の大きさと略同一寸法の調整片１３３が備えられ、この調整片１３３が水平方向に連設された構成となっている。そして、この調整片１３３と固定板部１３ｂとは、薄肉の連結部１３２を介して容易に切離し可能に設けられている。これにより、調整片１３３を連結部１３２において切断可能であり、固定板部１３ｂから調整片１３３を切り離したとき、切り離した調整片１３３を切欠部１３１に納めることができるように構成されている。また、例示のように薄肉の連結部１３２により調整片１３３と固定板部１３ｂとを連設することにより、固定板部１３ｂの下面側へ調整片１３３を折曲することも可能である。
【００２４】
したがって、他方の固定板部１３ｂは、一方の固定板部１３ａよりも長い形状を有しており、例示の形態では他方の固定板部１３ｂは一方の固定板部１３ａのほぼ２倍の長さで形成されている。また、固定板部１３ａ，１３ｂおよび調整片１３３は、それぞれ同一の厚さ寸法で形成されている。そして配管固定具１は、かかる形状の固定板部１３ａ，１３ｂ、調整片１３３および管保持部１１が合成樹脂等により一体に成形して形成されている。
【００２５】
また、各固定板部１３ａ，１３ｂおよび調整片１３３には、床面３への固定用のネジ孔１４がそれぞれ穿設されている。このネジ孔１４は、固定板部１３ｂにおいては、前記のように切欠部１３１に他の配管固定具１の固定板部１３ａが重畳されたときに、互いにネジ孔１４が連続して重なり合う位置に設けられている。また調整片１３３においてはネジ孔１４は、調整片１３３が切り離されて切欠部１３１に挿入されたとき固定板部１３ｂのネジ孔１４と連続して重なり合う位置に設けられている。例示の形態では、これらの各ネジ孔１４，１４，１４は、固定板部１３ａ，１３ｂおよび調整片１３３のそれぞれにおいて略中央部に設けられており、孔径も同一寸法で形成されている。
【００２６】
本実施例の配管固定具１は、上記のような構成とされることにより、配管２を固定する際には図２に示すように、管保持部１１に配管２を納め、床面３に載置された固定板部１３ｂをネジ固定する。また固定板部１３ｂに連設する調整片１３３を連結部１３２において切断または折曲し、この調整片１３３を切欠部１３１に納めて、固定板部１３ｂと調整片１３３とを重畳させた状態で床面３にネジ固定することで、配管を固定することができる。このとき、配管固定具１は、固定板部１３ｂの下面側に切欠部１３１が設けられていても、床面３に対して安定的に固定することができ、固定強度が不足するのを回避することができる。
【００２７】
また、例えば図３に示すように、床面３に所定間隔Ｗで平行に並んだ複数本の配管２を固定する際には、まず、隣接する配管固定具１のうち、一方の配管固定具１Ａの調整片（１３３）を切り離す。次に、隣接する他方の配管固定具１Ｂの固定板部１３ａを、調整片（１３３）を切り離した配管固定具１Ａの切欠部１３１に挿入し互いに重畳させる。配管固定具１Ａの切断した調整片（１３３）は不要になるので廃棄する。そして、固定板部１３ｂと、固定板部１３ａまたは調整片１３３とを重畳させた状態で床面３にネジ固定するとともに、端部に位置する固定板部１３ａを床面３にネジ固定して、配管固定具１および配管２が床面３に固定される。
【００２８】
このような工程を適宜繰り返し、複数本の配管２を、複数個の配管固定具１を連結するようにして固定することができる。これにより、床面３には配管２を所定間隔Ｗで平行に配設することができ、しかも各配管固定具１は横一列に並んで、非常に見栄え良く配管２を固定することが可能になる。
【００２９】
さらに、最端部に配置された配管固定具１の調整片１３３は、固定板部１３ｂから切り離すか、または下面側へ折曲げて切欠部１３１に納め、固定板部１３ｂと床面３との間の空間を充填する。これにより、配管固定具１を床面３に対して安定的に固定することができ、配管２の固定強度を確保することができる。
【実施例２】
【００３０】
次に本発明に係る配管固定具の実施例２について図面を参照しつつ説明する。図４および図５は本発明の配管固定具の実施例２をそれぞれ示す正面図である。なお、この実施例２の形態に係る配管固定具１は管保持部の構成に特徴があり、前記実施例１と基本構成は同様であるので、管保持部以外の構成要素については上記実施例１と共通の符号を用いて説明を省略する。
【００３１】
本発明の配管固定具１は、前記実施例１に示すように一個の配管固定具１で一本の配管を固定するように構成されるだけでなく、一個の配管固定具１で複数本の配管を固定できるように構成されてもよい。そこで、以下の説明では、一個の配管固定具１で二本の配管を固定することのできる配管固定具１を例にとって説明する。
【００３２】
この場合、配管固定具１は、二本以上の複数本の配管２を並べて固定する目的で使用される。図示するように、この形態に係る配管固定具１には、二個の管保持部１１が所定間隔で連続して形成され、これらの管保持部１１の間に固定板部１３ｃが設けられている。管保持部１１の互いの間隔Ｗは、配管２の配設間隔により決定されることが好ましく、配管間隔が管保持部１１同士の間隔Ｗに対応している。
【００３３】
これらの各管保持部１１は、前記実施例１と同様、横断面形状が略Ｕ字状に形成されている。また、管保持部１１の内周面には、さや管２の溝部に係止しうる一条の突起１２が周方向に突設されている。この突起１２により、管保持部１１にさや管２を納めたとき、さや管２の蛇腹状の溝部に突起が係止して固定され、さや管２に外力が加わっても、軸方向にずれたり、がたついたりするのを防止することができるようになされている。
【００３４】
かかる形態において、端部に設けられた他方の固定板部１３ｂには、下面側に切欠部１３１が設けられるとともに、切欠部１３１と略同一寸法の調整片１３３が薄肉の連結部１３２を介して切離し可能に連設されている。そして、固定板部１３ａ，１３ｂ，１３ｃ、および調整片１３３は、それぞれ同一の厚さ寸法で形成され、これらと管保持部１１とが合成樹脂等により一体に成形して形成されている。
【００３５】
また、各固定板部１３ａ，１３ｂ，１３ｃおよび調整片１３３には、それぞれ、床面３への固定用のネジ孔１４がそれぞれ穿設されている。固定板部１３ａ，１３ｂ、調整片１３３のそれぞれにおいて各ネジ孔１４，１４，１４は、孔径が同一で略中央部に設けられており、固定板部１３ｂと調整片１３３、または固定板部１３ｂと固定板部１３ａとが重畳されたときに、上下で孔位置が合致するように形成されている。
【００３６】
以上のように構成される配管固定具１により、配管２を床面３に固定するときには、例えば図５に示すように、床面３に所定間隔Ｗで平行に並んだ複数本の配管２を固定するのに、隣接する配管固定具１の一方の配管固定具１の調整片（１３３）を切り離し、その切欠部１３１に、隣接する他方の配管固定具１の固定板部１３ａを挿入して互いに重畳させる。そして、固定板部１３ｂと、固定板部１３ａまたは調整片１３３とを重畳させた状態で床面３にネジ固定するとともに、端部に位置する固定板部１３ａを床面３にネジ固定して、複数本の配管２とともに配管固定具１が床面３に固定される。これにより、配管間隔Ｗを維持した状態のまま複数本の配管を一個の配管固定具１で固定することが可能になり、よりよい外観を提供し、さらに施工の手間も大幅に省力化することができる。
【産業上の利用可能性】
【００３７】
本発明の配管固定具は、ヘッダー工法やさや管ヘッダー工法等において、床下配管がなされる床面に配管を納まりよく安定的に固定するのに好適に利用することができる。
【図面の簡単な説明】
【００３８】
【図１】本発明の実施例１に係る配管固定具の正面図である。
【図２】本発明の実施例１に係る配管固定具の正面図である。
【図３】本発明の実施例１に係る配管固定具を連結させて配設した場合の正面図である。
【図４】本発明の実施例２に係る配管固定具の正面図である。
【図５】本発明の実施例２に係る配管固定具を連結させて配設した場合の正面図である。
【図６】従来のヘッダー配管方式の一例を示す平面図である。
【図７】従来のヘッダー配管方式の他の例を示す平面図である。
【符号の説明】
【００３９】
１      配管固定具
１１    管保持部
１２    突起
１３ａ  固定板部
１３ｂ  固定板部
１３１  切欠部
１３２  連結部
１３３  調整片
１３ｃ  固定板部
１４    ネジ孔
２      配管（さや管）
３      床面
【図１】
2006300281.tif 000003
【図２】
2006300281.tif 000004
【図３】
2006300281.tif 000005
【図４】
2006300281.tif 000006
【図５】
2006300281.tif 000007
【図６】
2006300281.tif 000008
【図７】
2006300281.tif 000009